(57)【特許請求の範囲】
【請求項１】
単一の伝送路を介して伝送される、固定長の映像データを含む第１データ、または、固定長または可変長の映像データを含む第２データを受信し、受信したデータから前記第１または第２のデータを示す種別データを検出し、検出したデータ種別に対応する端子から第１データまたは第２データをパケット単位で出力するデータ受信装置であって、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
当該データ受信装置は、
前記単一の伝送路から前記第１データまたは第２データを受信する受信手段と、
受信した前記第１データまたは第２データに含まれる前記データ種別を示すデータをパケット単位で識別するパケット種別データ検出手段と、
前記受信した第１データまたは第２データをバッファリングして出力するデータバッファリング手段と、
前記データバッファリング手段から読み出したパケットデータを、前記パケット識別データ検出手段で検出したデータ種別に応じて第１データ出力端子または第２データ出力端子から出力するデータ選択出力手段と
を有するデータ受信装置。
【請求項２】
送信装置と、該送信装置から単一の伝送路を介して伝送される、固定長の映像データを含む第１データ、または、固定長または可変長の映像データを含む第２データを受信し、受信したデータから前記第１または第２のデータを示す種別データを検出し、検出したデータ種別に対応する端子から第１データまたは第２データをパケット単位で出力するデータ受信装置とを有するデータ送受信装置であって、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
前記送信装置は、
設定データに基づいて、パラレル形式の前記第１のデータまたはパラレル形式の前記第２のデータのいずれかを選択して入力するデータ入力選択手段と、
該データ入力選択手段からの出力データをバッファリングした保持する第１バッファリング手段と、
該バッファリング手段に保持したデータをシリアルデータに変換して前記単一の伝送路を介して前記データ受信装置に送出するデータ送出手段と、
前記データ受信装置から送出される同期信号に基づいて前記データ入力選択手段、前記第１バッファリング手段、前記データ送出手段の動作タイミングを制御する制御手段と
を有し、
前記データ受信装置は、
前記単一の伝送路から前記第１データまたは第２データを受信してパラレル形式に変換する受信手段と、
該受信した前記第１データまたは第２データに含まれる前記データ種別を示すデータをパケット単位で識別するパケット種別データ検出手段と、
前記受信した第１データまたは第２データをバッファリングして出力する第２データバッファリング手段と、
前記第２データバッファリング手段から読み出したパケットデータを、前記パケット識別データ検出手段で検出したデータ種別に応じて第１データ出力端子または第２データ出力端子から出力するデータ選択出力手段と、
前記データ送信装置に前記同期信号を送出する同期信号送出手段と
を有する、
データ送受信装置。
【請求項３】
データ伝送を行う１対のデータ送受信装置の間が単一の伝送路で接続されている、複数のデータ送受信装置を有するデータ伝送システムであって、
前記単一の伝送路を介して伝送されるデータは、固定長の映像データを含む第１データまたは固定長または可変長の映像データを含む第２データであり、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
前記各データ送受信装置は、
送信部と、
受信部と、
第１および第２の入力端子および第１および第２の出力端子を有し、前記第２の入力端子および前記第２の出力端子は映像機器に接続されている、データ入出力選択部と、
制御手段と
を有し、
前記データ入出力選択部は、前記制御手段の制御のもとで、第１の入力端子に入力されたパラレル形式の前記第１のデータまたはパラレル形式の前記第２のデータのいずれかを第１または第２の出力端子に出力し、第２の入力端子から入力されたデータを第２の出力端子に出力するように構成されており、
前記送信部は、
前記データ入出力選択部の第１の出力端子から出力されたデータをバッファリングした保持する第１バッファリング手段と、
該第１バッファリング手段に保持したデータをシリアルデータに変換して前記伝送路を介して接続されるデータ送受信装置の受信部に送出するデータ送出手段と
を有し、
前記データ受信部は、
前記伝送路を介して接続されるデータ送受信装置の送信部から前記第１データまたは第２データを受信してパラレル形式に変換する受信手段と、
該受信した前記第１データまたは第２データに含まれる前記データ種別を示すデータをパケット単位で識別するパケット種別データ検出手段と、
前記受信した第１データまたは第２データをバッファリングして出力する第２データバッファリング手段と、
前記伝送路を介して接続されるデータ送受信装置の送信部に前記同期信号を送出する同期信号送出手段と
を有し、
前記制御手段は、前記伝送路を介して接続されるデータ送受信装置のデータ受信部から送出される同期信号に基づいて前記データ入出力選択部、前記受信部および前記送信部の動作タイミングを制御し、
前記データ受信部は前記第２データバッファリング手段から読み出したパケットデータを、前記パケット識別データ検出手段で検出したデータ種別に応じて前記データ入出力選択部の第１データ出力端子または第２データ出力端子から、前記データ種別に応じて出力する、
データ伝送システム。
【請求項４】
単一の伝送路を介して伝送される、固定長の映像データを含む第１データ、または、固定長または可変長の映像データを含む第２データを受信し、受信したデータから前記第１または第２のデータを示す種別データを検出し、検出したデータ種別に対応する端子から第１データまたは第２データをパケット単位で出力するデータ受信方法であって、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
当該データ受信方法は、
前記単一の伝送路から前記第１データまたは第２データを受信する受信工程と、
受信した前記第１データまたは第２データに含まれる前記データ種別を示すデータをパケット単位で識別するパケット種別データ検出工程と、
前記受信した第１データまたは第２データをバッファリングして出力するデータバッファリング工程と、
前記データバッファリング手段から読み出したパケットデータを、前記パケット識別データ検出手段で検出したデータ種別に応じて第１データ出力端子または第２データ出力端子から出力するデータ選択出力工程と
を有するデータ受信方法。
【請求項５】
送信方法と受信方法とを有し、単一の伝送路を介して伝送される、固定長の映像データを含む第１データ、または、固定長または可変長の映像データを含む第２データを受信し、受信したデータから前記第１または第２のデータを示す種別データを検出し、検出したデータ種別に対応する端子から第１データまたは第２データをパケット単位で出力する、データ送受信方法であって、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
前記送信方法は、
設定データに基づいて、パラレル形式の前記第１のデータまたはパラレル形式の前記第２のデータのいずれかを選択して入力するデータ入力選択工程と、
該データ入力選択工程における出力データをバッファリングした保持する第１バッファリング工程と、
該バッファリング工程において保持したデータをシリアルデータに変換して前記単一の伝送路を介してデータ受信装置に送出するデータ送出工程と、
前記データ受信装置から送出される同期信号に基づいて前記データ入力選択工程、前記第１バッファリング工程、前記データ送出工程の動作タイミングを制御する制御工程と
を有し、
前記データ受信方法は、
前記単一の伝送路から前記第１データまたは第２データを受信してパラレル形式に変換する受信工程と、
該受信した前記第１データまたは第２データに含まれる前記データ種別を示すデータをパケット単位で識別するパケット種別データ検出工程と、
前記受信した第１データまたは第２データをバッファリングして出力する第２データバッファリング工程と、
前記第２データバッファリング手段から読み出したパケットデータを、前記パケット識別データ検出工程で検出したデータ種別に応じて第１データ出力端子または第２データ出力端子から出力するデータ選択出力工程と、
前記データ送信装置に前記同期信号を送出する同期信号送出工程と
を有する、
データ送受信方法。
【請求項６】
データ伝送を行う１対のデータ送受信装置の間が単一の伝送路で接続されている、複数のデータ送受信装置を有するデータ伝送システムにおけるデータ伝送方法であって、
前記単一の伝送路を介して伝送されるデータは、固定長の映像データを含む第１データまたは固定長または可変長の映像データを含む第２データであり、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
前記各データ送受信方法は、
送信方法と、
受信方法と、
第１および第２の入力端子および第１および第２の出力端子を有し、前記第２の入力端子および前記第２の出力端子は映像機器に接続されている、データ入出力選択方法と、
制御方法と
を有し、
前記データ入出力選択方法は、前記制御方法の制御のもとで、第１の入力端子に入力されたパラレル形式の前記第１のデータまたはパラレル形式の前記第２のデータのいずれかを第１または第２の出力端子に出力し、第２の入力端子から入力されたデータを第２の出力端子に出力し、
前記送信方法は、
前記データ入出力選択部の第１の出力端子から出力されたデータをバッファリングした保持する第１バッファリング工程と、
該第１バッファリング工程において保持したデータをシリアルデータに変換して前記伝送路を介して接続されるデータ送受信装置の受信部に送出するデータ送出工程と
を有し、
前記データ受信方法は、
前記伝送路を介して接続されるデータ送受信装置の送信部から前記第１データまたは第２データを受信してパラレル形式に変換する受信工程と、
該受信した前記第１データまたは第２データに含まれる前記データ種別を示すデータをパケット単位で識別するパケット種別データ検出工程と、
前記受信した第１データまたは第２データをバッファリングして出力する第２データバッファリング工程と、
前記伝送路を介して接続されるデータ送受信装置の送信部に前記同期信号を送出する同期信号送出工程と
を有し、
前記制御方法は、前記伝送路を介して接続されるデータ送受信装置のデータ受信部から送出される同期信号に基づいて前記データ入出力選択方法、前記受信方法および前記送信方法の動作タイミングを制御し、
前記データ受信方法は前記第２データバッファリング手段から読み出したパケットデータを、前記パケット識別データ検出工程で検出したデータ種別に応じて第１データ出力端子または第２データ出力端子から、前記データ種別に応じて出力する、
データ伝送方法。
【発明の詳細な説明】
【０００１】
【産業上の利用分野】
本発明は、複数の伝送用パケットを同一伝送路上で伝送するために用いられるデータ受信装置、データ送受信装置およびこれらを用いたデータ伝送システム、並びに、これらの方法に関する。
【０００２】
【従来の技術】
映像編集等に用いられる装置間で、ディジタルビデオ信号（以下、単にビデオ信号と記す）等を伝送するための方式として、シリアルディジタルインターフェース（ＳＤＩ）方式が従来から用いられている。ＳＤＩ方式の信号フォーマットは、ディジタル形式の映像信号および音声信号の規格として、ＳＭＰＴＥ（Society of Motion Picture and Television Engineerings ）のＳＭＰＴＥ−２９５Ｍに標準化されている。
ＳＤＩ方式は、Ｄ１方式およびＤ２方式のディジタル形式のビデオ信号の伝送に用いられ、その伝送速度は２７０ＭＨｚと高速である。
【０００３】
しかしながら、ＳＤＩ方式は、伝送可能な信号が映像信号１チャネル分のみ、ベースバンドの音声信号８チャネル分のみと限定されており、現在、放送あるいは映像編集の分野において高まりつつあるマルチメディア化あるいはマルチチャネル化への要望に対応するために必ずしも適していない。
このため、ＳＤＩ方式とかなりの互換性を有しながら、可変長映像信号データを伝送可能といったように、マルチメディアにより適合性が高いＳＤＤＩ方式が提案されている。
【０００４】
ＳＤＩ方式の信号とＳＤＤＩ方式の信号とを伝送するためには、図７に示すデータ伝送装置８を用いることが考えられる。
データ伝送装置８は、データ送信装置８００とデータ受信装置８３０とから構成されている。データ送信装置８００は、入力されたＳＤＩ方式の信号（ＳＤＩデータ）とＳＤＤＩ方式のデータ（ＳＤＤＩデータ）を、それぞれＦＩＦＯ８１２，８２２に保存し、さらにパラレル／シリアル変換回路（Ｐ／Ｓ変換回路）８１０，８２０によりシリアルデータに変換し、これらのシリアルデータをＳＤＩ方式の伝送路とＳＤＤＩ方式の伝送路との別々の伝送路を用いてデータ受信装置８３０に対して送信するように構成されている。
【０００５】
また、データ受信装置８３０は、データ送信装置８００からＳＤＩ方式の伝送路とＳＤＤＩ方式の伝送路との別々の伝送路を送られてきたこれらシリアルデータ形式の信号を、それぞれシリアル／パラレル変換回路（Ｓ／Ｐ変換回路）８４２，８５２でパラレルデータ形式に変換し、ＦＩＦＯ８４０，８５０に保存して、データ送信装置８００に入力された元のＳＤＩデータおよびＳＤＤＩデータに分離し、データ伝送装置８の外部に出力するように構成されている。
【０００６】
なお、データ送信装置８００とデータ受信装置８３０との間で信号伝送のタイミング等を規定する同期信号はデータ受信装置８３０側からＦＩＦＯ８３２およびＰ／Ｓ変換回路８３４により、ＳＤＩ方式の伝送路とＳＤＤＩ方式の伝送路とはさらに別の伝送路を用いてデータ送信装置８００側に送信される。Ｓ／Ｐ変換回路８０２およびＦＩＦＯ８０４により元の同期信号を再生し、データ送信装置８００は、再生した同期信号をデータ送信装置８００の内部処理等に用いる。
【０００７】
【発明が解決しようとする課題】
ここで、伝送路の数を減らし、伝送路の敷設工事を簡略化したい等の理由により、ＳＤＩ方式の信号とＳＤＤＩ方式の信号とを、同一の伝送路を用いて伝送したいという要請がある。しかしながら、ＳＤＩ方式の信号には固定長データのみが含まれるのに対し、ＳＤＤＩ方式の信号には固定長データの他、可変長データが含まれることがある。したがって、これらの信号を同一伝送路を用いて伝送した場合、受信側のデータ受信装置において、ＳＤＩ方式の信号とＳＤＤＩ方式の信号とを分離して、それぞれの方式の信号に対応する映像編集装置等に供給する必要がある。
【０００８】
本発明は、上述した従来技術の問題点に鑑みてなされたものであり、ＳＤＩ方式対応の映像機器とＳＤＤＩ方式対応の映像機器とが混在する映像処理システムにおいて、これらの映像機器相互間で同一伝送路上にＳＤＩ方式の信号とＳＤＤＩ方式の信号とを混在させて送受信させることができるデータ受信装置、データ送受信装置およびこれらを用いたデータ伝送システム、並びに、これらの方法を提供することを目的とする。
また、本発明は、同一伝送路上を伝送されてきたＳＤＩ方式の信号とＳＤＤＩ方式の信号とを自動的に識別し、伝送用パケット単位で分離して、それぞれ対応する映像機器に供給することが可能なデータ受信装置、データ送受信装置およびこれらを用いたデータ伝送システム、並びに、これらの方法を提供することを目的とする。
また、本発明は、ＭＰＥＧ１に対応したＳＤＤＩ方式の信号とＭＰＥＧ２に対応したＳＤＤＩ方式といった同じＳＤＤＩ方式でも符号化方式（圧縮方式）が異なる信号間の分離処理が可能なデータ伝送システム、並びに、これらの方法を提供することを目的とする。
【０００９】
【課題を解決するための手段】
本発明の第１の観点によれば、
単一の伝送路を介して伝送される、固定長の映像データを含む第１データ、または、固定長または可変長の映像データを含む第２データを受信し、受信したデータから前記第１または第２のデータを示す種別データを検出し、検出したデータ種別に対応する端子から第１データまたは第２データをパケット単位で出力するデータ受信装置であって、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
当該データ受信装置は、
前記単一の伝送路から前記第１データまたは第２データを受信する受信手段と、
受信した前記第１データまたは第２データに含まれる前記データ種別を示すデータをパケット単位で識別するパケット種別データ検出手段と、
前記受信した第１データまたは第２データをバッファリングして出力するデータバッファリング手段と、
前記データバッファリング手段から読み出したパケットデータを、前記パケット識別データ検出手段で検出したデータ種別に応じて第１データ出力端子または第２データ出力端子から出力するデータ選択出力手段と
を有するデータ受信装置が提供される。
【００１０】
本発明の第２の観点によれば、
送信装置と、該送信装置から単一の伝送路を介して伝送される、固定長の映像データを含む第１データ、または、固定長または可変長の映像データを含む第２データを受信し、受信したデータから前記第１または第２のデータを示す種別データを検出し、検出したデータ種別に対応する端子から第１データまたは第２データをパケット単位で出力するデータ受信装置とを有するデータ送受信装置であって、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
前記送信装置は、
設定データに基づいて、パラレル形式の前記第１のデータまたはパラレル形式の前記第２のデータのいずれかを選択して入力するデータ入力選択手段と、
該データ入力選択手段からの出力データをバッファリングした保持する第１バッファリング手段と、
該バッファリング手段に保持したデータをシリアルデータに変換して前記単一の伝送路を介して前記データ受信装置に送出するデータ送出手段と、
前記データ受信装置から送出される同期信号に基づいて前記データ入力選択手段、前記第１バッファリング手段、前記データ送出手段の動作タイミングを制御する制御手段と
を有し、
前記データ受信装置は、
前記単一の伝送路から前記第１データまたは第２データを受信してパラレル形式に変換する受信手段と、
該受信した前記第１データまたは第２データに含まれる前記データ種別を示すデータをパケット単位で識別するパケット種別データ検出手段と、
前記受信した第１データまたは第２データをバッファリングして出力する第２データバッファリング手段と、
前記第２データバッファリング手段から読み出したパケットデータを、前記パケット識別データ検出手段で検出したデータ種別に応じて第１データ出力端子または第２データ出力端子から出力するデータ選択出力手段と、
前記データ送信装置に前記同期信号を送出する同期信号送出手段と
を有する、
データ送受信装置が提供される。
【００１１】
本発明の第３の観点によれば、データ伝送を行う１対のデータ送受信装置の間が単一の伝送路で接続されている、複数のデータ送受信装置を有するデータ伝送システムであって、
前記単一の伝送路を介して伝送されるデータは、固定長の映像データを含む第１データまたは固定長または可変長の映像データを含む第２データであり、
前記第１データは、映像信号の垂直方向に沿って、第１垂直ブランキング部と、第１フィールド分のデータ格納部と、第２垂直ブランキング部と、第２フィールド分のデータ格納部とを有し、第１および第２フィールド分のデータ格納部は各ラインごと、当該第１データの種別を示すデータが格納されているヘッダデータ格納部と固定長の映像データを含むデータを格納するデータ格納部とを有しており、
前記第２データは、映像信号の垂直方向に沿って各ラインが、当該第２データの種別を示すデータが格納されているヘッダデータ格納部と、固定長または可変長の映像データを含むデータを格納するデータ格納部とを有する部分を複数ライン分有しており、
前記第１および第２データを種別を示すヘッダデータはそれぞれ前記ヘッダデータ格納部の同じ位置に格納されており、
前記各データ送受信装置は、送信部と、受信部と、第１および第２の入力端子および第１および第２の出力端子を有し、前記第２の入力端子および前記第２の出力端子は映像機器に接続されている、データ入出力選択部と、制御手段とを有し、
前記データ入出力選択部は、前記制御手段の制御のもとで、第１の入力端子に入力されたパラレル形式の前記第１のデータまたはパラレル形式の前記第２のデータのいずれかを第１または第２の出力端子に出力し、第２の入力端子から入力されたデータを第２の出力端子に出力するように構成されており、
前記送信部は、前記データ入出力選択部の第１の出力端子から出力されたデータをバッファリングした保持する第１バッファリング手段と、該第１バッファリング手段に保持したデータをシリアルデータに変換して前記伝送路を介して接続されるデータ送受信装置の受信部に送出するデータ送出手段とを有し、
前記データ受信部は、前記伝送路を介して接続されるデータ送受信装置の送信部から前記第１データまたは第２データを受信してパラレル形式に変換する受信手段と、該受信した前記第１データまたは第２データに含まれる前記データ種別を示すデータをパケット単位で識別するパケット種別データ検出手段と、前記受信した第１データまたは第２データをバッファリングして出力する第２データバッファリング手段と、前記伝送路を介して接続されるデータ送受信装置の送信部に前記同期信号を送出する同期信号送出手段とを有し、
前記制御手段は、前記伝送路を介して接続されるデータ送受信装置のデータ受信部から送出される同期信号に基づいて前記データ入出力選択部、前記受信部および前記送信部の動作タイミングを制御し、
前記データ受信部は前記第２データバッファリング手段から読み出したパケットデータを、前記パケット識別データ検出手段で検出したデータ種別に応じて前記データ入出力選択部の第１データ出力端子または第２データ出力端子から、前記データ種別に応じて出力する、データ伝送システムが提供される。
【００１２】
【作用】
第２データの伝送用パケットは、たとえば、ＳＤＤＩ方式に用いられる伝送用パケットであって、この伝送用パケットの制御データ格納部分の所定の位置には、当該伝送用パケットがＳＤＤＩ方式であることを示すパケット種別データが含まれており、これを検出することによりそのパケットが第１の伝送用パケットであることを識別することができる。また、第１の伝送用パケットのデータ格納部分には、固定長データと可変長データとの混在が許される。
【００１３】
第１データの伝送用パケットは、たとえば、ＳＤＩ方式に用いられる伝送用パケットであって、第２の伝送用パケットの制御データ格納部分には、ＳＤＤＩ方式の伝送用パケットのパケット種別データは含まれず、そのデータ格納部分には固定長データのみが含まれる。
受信手段は、単一の伝送路からシリアル形式の第１データの伝送用パケットまたは第２データの伝送用パケットのいずれかのパケット伝送信号を受信して、例えばシリアル／パラレル変換して伝送信号を処理が容易なパラレル形式の信号に変換する。
【００１４】
パケット種別データ検出手段は、受信手段が受信してパラレル形式の信号に変換した信号において、例えば同期信号により示される位置の、たとえば、ＳＤＤＩ方式のパケット種別データを検出する。
パケット分離手段は、たとえば、ＳＤＤＩ方式のパケット種別データを含む伝送用パケットを第１の伝送用パケットとして第１の出力端子から出力し、たとえば、ＳＤＤＩ方式のパケット種別データを含まない伝送用パケットを第２の伝送用パケットとして第２出力端子から出力してこれらを分離して出力する。
【００１５】
【実施例１】
以下、本発明の第１の実施例を説明する。
まず、本発明に係るデータ伝送システム１（図４）の説明に先立ち、図１〜図３を参照してデータ伝送システム１が受信する伝送信号の伝送方式として用いられるＳＤＩ方式およびＳＤＤＩ方式の信号フォーマットを説明する。
図１は、ＳＤＩ方式のフレーム構成等を示す図であって、（Ａ）はＳＤＩ方式のビデオ信号のフレーム構成を示す図であり、（Ｂ）はＳＤＩ方式の伝送用パケットの構成を示す図であり、（Ｃ）は伝送されるＳＤＩ方式のビデオ信号のデータ速度を示す図である。
【００１６】
ＳＤＩ方式のビデオ信号のフレームは、図１（Ａ），（Ｂ）に示すように、垂直方向に５２５（または６２５）ライン、水平方向に１ライン当たり１０ビット×１７１６（または１７２８；６２５ラインモードの場合）ワードの構造になっている。
各ラインにおいて、ラインの第１ワードから第４ワードまでの４ワードは、その前のラインのアクティブビデオ部ＡＣＶの終了を示し、水平ブランキング部とを分離する第１分離符号ＥＡＶ（Ｅｎｄ  ｏｆ  ＡｃｔｉｖｅＶｉｄｅｏ）として用いられる。
【００１７】
第５ワードから第２７２ワードまでの２６８ワードは（または第５ワードから第２８４までの２８０ワードは）、水平ブランキング部であるが、アンシラリデータ部ＡＮＣとして補助データおよび音声データ等を含むこともできる。
第２７３から第２７６ワードまで（同じく、または、第２８４ワードから第２８８ワードまで）の４ワードは、アクティブビデオ部ＡＣＶの開始を示す第２分離符号ＳＡＶ（Ｓｔａｒｔ  ｏｆ  Ａｃｔｉｖｅ  Ｖｉｄｅｏ）として用いられる。
第２７７ワードから第１７１６ワードまで（同じく、または、第２８８ワードから１７２８ワードまで）の１４４０ワードは、映像信号等を伝送するアクティブビデオ部ＡＣＶとして用いられる。
【００１８】
また、図１（Ａ）に示すように、垂直方向において、第１ラインから第９ラインまでの９ライン（同じく、または、第１ラインから第２４ラインまでの２４ライン）は、垂直ブランキング部ＶＢＫとして用いられる。
また、５２５ラインモードの場合のみ、第１０ラインから第１９ラインまでの１０ラインは、オプショナルブランキング部ＯＢＫとして用いられる。
第２０ラインから第２６３ラインまでの２４４ライン（同じく、または、第２５ラインから第３１２ラインまでの２８８ライン）は、第１フィールドのアクティブビデオ部ＡＣＶ1 として用いられる。第１フィールドのアクティブビデオ部ＡＣＶ1 には第１フィールドの映像信号が含まれる。
【００１９】
５２５ラインモードの場合のみ、第２６４ラインから第２７２ラインまでの９ライン（または、第３１３ラインから第３３７ラインまでの２５ライン）は、垂直ブランキング部ＶＢＫとして用いられる。
第２７３ラインから第２８２ラインまでの１０ラインは、オプショナルブランキング部ＯＢＫとして用いられる。
第２８３ラインから第５２６ラインまでの２４３ライン（同じく、または、第３３８ラインから第６２５ラインまでの２８８ライン）は、第２フィールドのアクティブビデオ部ＡＣＶ2 として用いられる。第２フィールドのアクティブビデオ部ＡＣＶ2 には第２フィールドの映像信号が含まれる。
図１（Ａ），（Ｂ）に示したフレーム構成の、１０ビットのパラレルのＳＤＩ方式のビデオ信号は、図１（Ｃ）に示すように、２７０Ｍｂｐｓのシリアル形式の伝送信号に変換されてデータ伝送装置１の各構成要素の間で送受信される。
【００２０】
以下、図２および図３を参照してＳＤＤＩ方式の信号フォーマットを説明する。
図２は、ＳＤＤＩ方式のフレーム構成等を示す図であって、（Ａ）はＳＤＤＩ方式のビデオ信号のフレーム構成を示す図であり、（Ｂ）はＳＤＤＩ方式の伝送用パケットの構成を示す図であり、（Ｃ）は伝送されるＳＤＤＩ方式のビデオ信号のデータ速度を示す図である。
【００２１】
図２（Ａ），（Ｂ）に示すように、ＳＤＤＩ方式のビデオ信号の各ラインは、ＳＤＩ方式のビデオ信号の各ラインと同様に、水平方向に１ライン当たり１０ビット×１７２４（または、１７１６）ワード、垂直方向に５２５（または、６２５）ラインで構成されており、図１に示したＳＤＩ方式の分離符号ＳＡＶ，ＥＡＶ、アンシラリデータ部ＡＮＣおよびアクティブビデオ部ＡＣＶ1 ，ＡＣＶ2 にそれぞれ相当する第１分離符号ＥＡＶ、アンシラリデータ部ＡＮＣ、第２分離符号ＳＡＶ，およびペイロード部ＰＡＤ（データ部ＤＴ）を含む。
さらに、ペイロード部ＰＡＤの最後には、アンシラリデータ部ＡＮＣの一部およびペイロード部ＰＡＤ部分の誤り検出および誤り訂正に用いられるＣＲＣ符号が付加されている。
ただし、ＳＤＤＩ方式のビデオ信号は、ＳＤＩ方式のビデオ信号と異なり、アンシラリデータ部ＡＮＣに音声データを含まず、ペイロード部分に音声データおよび映像データを含んでいる。
【００２２】
なお、図２（Ａ）に示すように、ＳＤＤＩ方式のビデオ信号のフレームには、それぞれ図１に示したＳＤＩビデオ信号の垂直ブランキング部ＶＢＫおよびオプショナルブランキング部ＯＢＫに対応する部分は含まれていない。
上述した１０ビットパラレルのＳＤＤＩ方式のビデオ信号は、図２（Ｃ）に示すように、２７０Ｍｂｐｓのシリアル形式の伝送信号に変換されてデータ伝送装置１の各構成要素の間で送受信される。
【００２３】
図３は、図２に示したＳＤＤＩ方式の伝送用パケットのアンシラリデータ部ＡＮＣのヘッダ部分に含まれるデータを示す図である。
図３（Ａ），（Ｂ）に示すように、ＳＤＤＩ方式の伝送用パケットのアンシラリデータ部ＡＮＣは、ヘッダデータＨＥＡＤＥＲを含み、ヘッダデータＨＥＡＤＥＲは、先頭に位置している３ワードのヘッダフラグ（０００ｈ，３ＦＦｈ，３ＦＦｈ）、１ワードのデータＩＤ（ＤＡＴＡＩＤ）、補助データ領域ＡＵＸ、宛て先デバイスアドレス（ＤＥＳＴＩＮＡＴＩＯＮ  ＤＥＶＩＣＥ  ＡＤＤＲＥＳＳ）、ソースデバイスアドレス（ＳＯＵＲＣＥ  ＤＥＶＩＣＥＡＤＤＲＥＳＳ）およびチェックサム（ＣＨＥＣＫ  ＳＵＭ）の各データを含んでいる。
上述のヘッダデータＨＥＡＤＥＲの内、ＤＡＴＡＩＤは、その伝送用パケットがＳＤＤＩ方式の伝送用パケットであるか（０１ｈ）、ＳＤＩ用伝送用パケットであるか（００ｈ）を示し、チェックサムは、そのフレームのデータのチェックサムによる誤り検出に用いられる。
宛て先デバイスアドレスおよびソースデバイスアドレスは、その伝送用パケットが伝送される宛て先の装置、および、その伝送用パケットを送出した装置の識別にそれぞれ用いられるデータである。
【００２４】
また、ＳＤＩ方式のビデオ信号とＳＤＤＩ方式のビデオ信号の各ラインのデータ長、フレーム構成およびデータ伝送速度は同じにし、さらに、ＳＤＩ方式の伝送用パケットとＳＤＤＩ方式の伝送用パケットとに共通性を持たせることにより、送信装置１０および受信装置２０においては、これらを同等のデータとして取り扱うことができる。
【００２５】
ＳＤＤＩ方式の伝送用パケットのヘッダには、ブロックタイプデータ等がさらに含まれており、このブロックタイプデータは、ビデオデータ部ＤＴが含むデータの種別を示す。例えば、ビデオデータ部およびオーディオデータ部に含まれているビデオ信号が圧縮されている場合、その圧縮方法（ＭＰＥＧ等）、ビデオ信号が圧縮されていない場合にはその旨、あるいは、ペイロード部ＰＡＤにコンピュータ用のデータが含まれている場合にはその旨等を示す。
【００３０】
以下、ＳＤＩ方式の信号とＳＤＤＩ方式の信号とを同一伝送路を用いて伝送するデータ伝送システム１の構成および動作を説明する。
図４は、第１の実施例における本発明に係るデータ伝送システム１の構成を示す図である。
図４に示すように、データ伝送システム１は送信装置１０と受信装置２０とから構成されている。
送信装置１０は、セレクタ回路（ＳＥＬ）１００、ＦＩＦＯ１０２，１２２、パラレル／シリアル変換回路（Ｐ／Ｓ変換回路）１０４、制御回路（ＣＰＵ）１１０およびシリアル／パラレル変換回路（Ｓ／Ｐ変換回路）１２０から構成されている。
受信装置２０は、Ｓ／Ｐ変換回路２００、パケット種別データ検出回路（ＤＥＴ）２０２、ＦＩＦＯ２０４，２２０、セレクタ回路（ＳＥＬ）２０６、制御回路（ＣＰＵ）２１０およびＰ／Ｓ変換回路２２２から構成されている。
【００３２】
制御回路１１０は、送信装置１０に接続される映像機器等の外部から入力される設定データに従って、セレクタ回路１００等、送信装置１０の各部分を制御する。
セレクタ回路１００は、制御回路１１０の制御に従って、送信装置１０の外部から入力されるＳＤＩ方式の入力データ（ＳＤＩデータ）またはＳＤＤＩ方式の入力データ（ＳＤＤＩデータ）を選択し、１０ビットパラレル形式の送信信号としてＦＩＦＯ１０２に対して出力する。
ＦＩＦＯ１０２は、セレクタ回路１００で選択されて出力されたＳＤＩ方式のデータまたはＳＤＤＩ方式のデータのいずれかの送信信号をバッファリングしてＰ／Ｓ変換回路１０４に対して出力する。
Ｐ／Ｓ変換回路１０４は、１０ビットパラレル形式の送信信号（図１（Ｂ），図２（Ｂ））を１ビットシリアル形式の伝送信号（図１（Ｃ），図２（Ｃ））に変換して共通の伝送路（ＳＤＩ／ＳＤＤＩ伝送路）上に送信する。
【００３３】
Ｓ／Ｐ変換回路２００は、送信装置１０から伝送されてきた伝送信号を受信し、１０ビットパラレル形式の受信信号に変換してパケット種別データ検出回路２０２に対して出力する。
パケット種別データ検出回路２０２は、受信装置２０における受信信号の伝送用パケットの図３（Ｂ）に示すアンシラリデータ部ＡＮＣに格納されるヘッダデータＨＥＡＤＥＲのＤＡＴＡＩＤの位置の内容が、その伝送用パケットがＳＤＤＩ方式のものであることを示すパケット識別データ０１ｈであるか否かを検出し、検出結果を制御回路２１０に対して出力する。また、パケット種別データ検出回路２０２は、受信信号をそのままＦＩＦＯ２０４に対して出力する。さらに、例えばパケット種別データ検出回路２０２が、タイプデータの内容を判断してタイプ間の違いを検出可能に構成し、タイプ間で異なる制御を行うようにすることも可能である。
制御回路２１０は、パケット種別データ検出回路２０２における検出結果等に基づいて、セレクタ回路２０６等の受信装置２０の各部分を制御する。
【００３４】
ＦＩＦＯ２０４は、受信装置２０における受信信号をバッファリングしてセレクタ回路２０６に対して出力する。
セレクタ回路２０６は、制御回路２１０の制御に従って、パケット種別データ検出回路２０２が、その伝送用パケットがＳＤＤＩ方式のものであることを示すパケット識別データを検出しなかった場合には、受信装置２０における受信信号を第１出力端子ａ側からＳＤＩデータとして出力し、その伝送用パケットがＳＤＤＩ方式のものであることを示すパケット識別データを検出した場合には、受信装置２０における受信信号を第２出力端子ｂ側からＳＤＤＩデータとして出力する。
【００３５】
また、受信装置２０は、ＦＩＦＯ２２０およびＰ／Ｓ変換回路２２２により同期信号（ＲＥＦ）を送信装置１０に対して送出する。送信装置１０は、Ｓ／Ｐ変換回路１２０およびＦＩＦＯ１２２により同期信号を再生し、制御回路１１０が同期信号を用いて送信装置１０の内部処理等に用いる。この同期信号は、例えば伝送用パケットの送信タイミング等を規定する。
なお、データ伝送システム１において、受信装置２０が本発明に係るデータ受信装置に相当し、Ｓ／Ｐ変換回路２００が本発明に係る受信手段に相当し、パケット種別データ検出回路２０２が本発明に係るパケット種別データ検出手段に相当し、セレクタ回路２０６が本発明に係るパケット分離手段に相当する。
【００３６】
以下、データ伝送システム１の動作を説明する。
送信装置１０に、それぞれＳＤＩ方式またはＳＤＤＩ方式に対応する映像機器から入力された１０ビットパラレル形式のＳＤＩデータまたはＳＤＤＩデータは、送信装置１０の外部から入力された設定データに従って制御回路１１０の制御のもとでセレクタ回路１００により選択され、送信信号としてＦＩＦＯ１０２に入力される。
ＦＩＦＯ１０２は、セレクタ回路１００から出力される送信信号をバッファリングし、同期信号に同期したタイミングでＰ／Ｓ変換回路１０４に対して出力する。
Ｐ／Ｓ変換回路１０４は、ＦＩＦＯ１０２から出力される送信信号を１ビットシリアル形式の伝送信号に変換して単一の伝送路を介して受信装置２０に対して伝送する。
【００３７】
受信装置２０のＳ／Ｐ変換回路２００は、送信装置１０からの伝送信号を受信して１０ビットパラレル形式の受信信号に変換してパケット種別データ検出回路２０２に対して出力する。
パケット種別データ検出回路２０２は、Ｓ／Ｐ変換回路２００で受信し１０ビットパラレル形式の信号に変換した受信信号から伝送用パケットを検出し、図３（Ｂ）に示すアンシラリデータ部ＡＮＣのヘッダデータＨＥＡＤＥＲのＤＡＴＡＩＤの位置の内容を検出し、その検出結果を制御回路２１０に対して出力する。
ＦＩＦＯ２０４は、セレクタ回路２０６でＳＤＩ方式の信号とＳＤＤＩ方式の信号とを分離して出力する際に、伝送用パケットの頭切れが生じないようにバッファリングしセレクタ回路２０６に対して出力する。
セレクタ回路２０６は、伝送用パケットの図３（Ｂ）に示すアンシラリデータ部ＡＮＣのヘッダデータＨＥＡＤＥＲのＤＡＴＡＩＤの内容、すなわち、ＳＤＤＩ方式か否かに応じた制御回路２１０の制御に従って、ＳＤＩデータとＳＤＤＩデータを分離して第１または第２の出力端子ａ、ｂから出力する。
【００３８】
データ伝送システム１によれば、ＳＤＩデータとＳＤＤＩデータとを同一伝送路上で伝送することができる。従って、図７を参照して例示した従来例として示したデータ伝送装置８において、送信装置および受信装置においてそれぞれ、２組必要であったＦＩＦＯ８１２、８２２、ＦＩＦＯ８４０、８５０、Ｐ／Ｓ変換回路８１０、８２０およびＳ／Ｐ変換回路８４２、８５２を１組に減らすことができるので、装置コストが低い。
また、データ伝送システム１によれば、従来２本必要であった伝送路を１本に減らすことができるので、伝送路のコストを減らすことができ、敷設工事も簡単になる。
また、データ伝送システム１によれば、受信装置２０側において自動的にＳＤＩ方式とＳＤＤＩ方式の伝送用パケットを識別してこれらを分離可能なので、ＳＤＩ方式対応の映像機器とＳＤＤＩ方式の映像機器とを同一の映像処理システム内に混在させやすい。
【００３９】
【実施例２】
以下、本発明の第２の実施例を説明する。
図５は、第２の実施例における本発明に係るデータ伝送システム３の構成を示す図である。
図６は、図５に示したデータ送受信装置３２ａ〜３２ｄの構成を示す図である。
図５に示すように、本発明に係るデータ伝送システム３は、４個のデータ送受信装置３２ａ〜３２ｄから構成されており、データ送受信装置３２ａ〜３２ｄ相互間でＳＤＩ方式の信号とＳＤＤＩ方式の信号とを同一伝送路上に混在させて伝送するように構成されている。
【００４０】
データ送受信装置３２ａ〜３２ｄは同一の構成であり、同一のおよび動作を行う。
図６に示すように、データ送受信装置３２ａ〜３２ｄ（以下、これらを別個に特定しない場合には、単にデータ送受信装置３２と記す）は、それぞれＳ／Ｐ変換回路３２０，３５０、Ｐ／Ｓ変換回路３４４，３６２、パケット種別データ検出回路３２２、ＦＩＦＯ３２４，３４０，３５２，３６０、制御回路（ＣＰＵ）３３０およびスイッチネットワーク３３２から構成されており、それぞれ他のデータ送受信装置３２から送られてきた伝送信号から、それぞれに接続された映像機器に応じてＳＤＩデータまたはＳＤＤＩデータを分離して信号ＶＯＵＴａ〜ＶＯＵＴｄとして供給し、あるいは、他のデータ送受信装置３２に対して映像機器からの入力信号ＶＩＮａ〜ＶＩＮｄを送信し、あるいは、伝送信号を中継する。
【００４１】
Ｓ／Ｐ変換回路３２０は、図４に示したＳ／Ｐ変換回路２００と同様の動作を行い、他のデータ送受信装置３２から伝送されてきた伝送信号を受信し、パラレル形式の受信信号に変換してパケット種別データ検出回路３２２に対して出力する。
パケット種別データ検出回路３２２は、図４に図解したパケット種別データ検出回路２０２と同様の動作を行い、受信信号のパケット識別データを検出し、検出結果を制御回路３３０に対して、受信信号をそのままＦＩＦＯ３２４に対して出力する。
【００４２】
ＦＩＦＯ３２４は、図４に図解したＦＩＦＯ２０４と同様の動作を行い、受信信号をバッファリングしてスイッチネットワーク３３２に対して出力する。
ＦＩＦＯ３４０は、図４に図解したＦＩＦＯ１０２と同様の動作を行い、スイッチネットワーク３３２から入力された送信信号をバッファリングしてＰ／Ｓ変換回路３４４に対して出力する。
制御回路３３０は、図４に図解した制御回路１１０および制御回路２１０と同様の動作を行い、データ送受信装置３２それぞれに接続される映像機器等の外部から入力される設定データに従って、スイッチネットワーク３３２等の各部分を制御する。
【００４３】
Ｓ／Ｐ変換回路３５０およびＦＩＦＯ３５２は、図４に図解したＳ／Ｐ変換回路１２０およびＦＩＦＯ１２２と同様の動作を行い、他のデータ送受信装置３２からの同期信号を受信する。
ＦＩＦＯ３６０およびＰ／Ｓ変換回路３６２は、図４に図解したＦＩＦＯ２２０およびＰ／Ｓ変換回路２２２と同様の動作を行い、他のデータ送受信装置３２に対して同期信号を送信する。
【００４４】
スイッチネットワーク３３２は、入力端子ａ，ｃと出力端子ｂ，ｄ間の信号切替えを行う。具体的には、スイッチネットワーク３３２は、制御回路３３０の制御に従って、映像機器から入力端子ｃに入力されたＳＤＩ方式またはＳＤＤＩ方式の入力信号ＶＩＮａ〜ＶＩＮｄを出力端子ｂから送信信号として出力し、入力端子ａから入力された受信信号からＳＤＩデータまたはＳＤＤＩデータを分離して出力端子ｄから出力信号ＶＯＵＴａ〜ＶＯＵＴｄとして出力し、さらに、入力端子ａから入力された伝送信号をそのまま出力端子ｂから送信信号として出力する。
【００４５】
以下、図５および図６に示したデータ伝送システム３およびデータ送受信装置３２の動作を説明する。
データ伝送システム３においては、伝送信号はデータ送受信装置３２ａからデータ送受信装置３２ｂへ、データ送受信装置３２ｂからデータ送受信装置３２ｃへといったように伝送される。
データ送受信装置３２ａ〜３２ｄは、それぞれ接続された映像機器に対応するＳＤＩデータまたはＳＤＤＩデータを図４に示した受信装置２０と同様に伝送信号から取り出して供給するとともに、取り出さなかった伝送信号を次のデータ送受信装置３２に対して中継する。
また、データ送受信装置３２ａ〜３２ｄの間では、図５に示すように同期信号ＲＥＦの送受信も行われる。
【００４６】
データ伝送システム３をこのように構成することにより、ＳＤＩ方式対応の映像機器とＳＤＤＩ方式対応の映像機器とを混在させて大規模な映像処理システムを容易に構成することができる上、第１の実施例に示したデータ伝送システム１と同様な効果を得ることができる。
【００４７】
なお、データ送受信装置３２は４台に限らず、任意の台数でデータ伝送システム３を構成することができる。また、接続関係も図５に示したものに限らず、例えばデータ送受信装置３２が複数の伝送路を介してデータの送受信が可能なように構成して、データ送受信装置３２ａ，３２ｃおよびデータ送受信装置３２ｂ，３２ｄ間を直接接続する伝送路を設けてもよい。
データ送受信装置３２に、図３（Ｂ）に図解したアンシラリデータ部ＡＮＣに格納されるヘッダデータＨＥＡＤＥＲのうちの宛て先デバイスアドレス（ＤＥＳＴＩＮＡＴＩＯＮ  ＤＥＶＩＣＥ  ＡＤＤＲＥＳＳ）を検出する機能を追加することにより、任意のデータを所望の機器に対して伝送することができる映像処理システムを実現することも可能である。
また、このような機能を追加するとともに、データ送受信装置３２に交換機能を付加し、さらに複雑なシステムを構成可能にしてもよい。
【００４８】
【発明の効果】
以上述べたように本発明に係るデータ受信装置、データ送受信装置およびこれらを用いたデータ伝送システムによれば、ＳＤＩ方式対応の映像機器とＳＤＤＩ方式対応の映像機器とが混在する映像処理システムにおいて、これらの映像機器相互間で同一伝送路上にＳＤＩ方式の信号とＳＤＤＩ方式の信号とを混在させて送受信させることができる。
また、本発明に係るデータ受信装置、データ送受信装置およびこれらを用いたデータ伝送システムによれば、同一伝送路上を伝送されてきたＳＤＩ方式の信号とＳＤＤＩ方式の信号とを自動的に識別し、伝送用パケット単位で分離して、それぞれ対応する映像機器に供給することが可能である。
【図面の簡単な説明】
【図１】ＳＤＩ方式のフレーム構成等を示す図であって、（Ａ）はＳＤＩ方式のビデオ信号のフレーム構成を示す図であり、（Ｂ）はＳＤＩ方式の伝送用パケットの構成を示す図であり、（Ｃ）は伝送されるＳＤＩ方式のビデオ信号のデータ速度を示す図である。
【図２】ＳＤＤＩ方式のフレーム構成等を示す図であって、（Ａ）はＳＤＤＩ方式のビデオ信号のフレーム構成を示す図であり、（Ｂ）はＳＤＤＩ方式の伝送用パケットの構成を示す図であり、（Ｃ）は伝送されるＳＤＤＩ方式のビデオ信号のデータ速度を示す図である。
【図３】図２に示したＳＤＤＩ方式の伝送用パケットのアンシラリデータ部ＡＮＣに含まれるデータを示す図である。
【図４】第１の実施例における本発明に係るデータ伝送システムの構成を示す図である。
【図５】第２の実施例における本発明に係るデータ伝送システムの構成を示す図である。
【図６】図５に示したデータ送受信装置の構成を示す図である。
【図７】従来のデータ伝送装置の構成を示す図である。
【符号の説明】
１，３…データ伝送システム、１０…送信装置、２０…受信装置、３２，３２ａ〜３２ｄ…データ送受信装置、１００，２０６…セレクタ回路、１０２，１２２，２０４，２２０，３２４，３４０，３５２，３６０…ＦＩＦＯ、１０４，２２２，３４４，３６２…Ｐ／Ｓ変換回路、１２０，２００，３２０，３５０…Ｓ／Ｐ変換回路、２０２，３３２…パケット種別データ検出回路、１１０，２１０，３３０…制御回路、３３２…スイッチネットワーク
【図１】
0003551523.tif 000002
【図２】
0003551523.tif 000003
【図３】
0003551523.tif 000004
【図４】
0003551523.tif 000005
【図５】
0003551523.tif 000006
【図６】
0003551523.tif 000007
【図７】
0003551523.tif 000008